(57)【特許請求の範囲】
【請求項１】
内部に第１及び第２の弾性表面波フィルタ素子を有する弾性表面波フィルタであって、前記第１の弾性表面波フィルタ素子は、第１及び第２の入出力端子と第１及び第２の出入力端子とを含み、前記第２の弾性表面波フィルタ素子は、第３及び第４の入出力端子と第３及び第４の出入力端子とを含む前記弾性表面波フィルタにおいて、
入出力側には、
前記第１の入出力端子に電気的に接続された第１のフィルタ端子と、
前記第４の入出力端子に電気的に接続された第２のフィルタ端子と、
前記第２の入出力端子及び第３の入出力端子に電気的に接続された第１の共通フィルタ端子と、
を有し、
出入力側には、
前記第１の出入力端子に電気的に接続された第３のフィルタ端子と、
前記第４の出入力端子に電気的に接続された第４のフィルタ端子と、
前記第２の出入力端子及び第３の出入力端子に電気的に接続された第２の共通フィルタ端子と、
を有することを特徴とする弾性表面波フィルタ。
【請求項２】
請求項１に記載の弾性表面波フィルタであって、
前記弾性表面波フィルタは、その内部にさらに第１及び第２の整合回路を有し、
前記第１の共通フィルタ端子は、前記第１の整合回路を介して前記第２の入出力端子及び第３の入出力端子に電気的に接続され、前記第２の共通フィルタ端子は、前記第２の整合回路を介して前記第２の出入力端子及び第３の出入力端子に電気的に接続されていることを特徴とする弾性表面波フィルタ。
【発明の詳細な説明】
【０００１】
【発明の属する技術分野】
本発明は、内部に２個の弾性表面波フィルタ素子を有する弾性表面波フィルタに関し、特に、アンテナ共用器に使用される弾性表面波フィルタに関する。
【０００２】
【従来の技術】
コードレス電話機において親機と子機では、異なった周波数の信号を送受信する。図４に、コードレス電話機における信号の送受信の様子が示されている。コードレス電話機の親機６０から子機６２へは、例えば、ｆ１の周波数の信号が送信される。また、子機６２から親機６０へはｆ１と異なった、例えばｆ２の周波数の信号が送信される。そして、親機６０と子機６２は、それぞれが相手から送信された信号を受信する。この送受信は、親機６０と子機６２がそれぞれ１本ずつ有するアンテナ６４，６６で行われる。
【０００３】
このように異なった周波数の信号を一本のアンテナで送受信するために、親機６０と子機６２にはそれぞれ内部にアンテナ共用器と呼ばれる電子部品が搭載されている。このアンテナ共用器にはフィルタが使用される。このフィルタとして、通過帯域がそれぞれ異なった２種類の弾性表面波（Ｓｕｒｆａｃｅ  Ａｃｏｕｓｔｉｃ  Ｗａｖｅ：以下、ＳＡＷとする）フィルタ素子を内部に有するＳＡＷフィルタが使用される場合がある。
【０００４】
図５に、コードレス電話機の親機のアンテナ共用器に使用されるＳＡＷフィルタのブロック図が示されている。
【０００５】
親機のＳＡＷフィルタ７０は、その内部に２個のＳＡＷフィルタ素子７２，７４を有しており、入出力端子として、フィルタ端子７６，７８，８０，８２，８４を有している。ＳＡＷフィルタ素子７２，７４はそれぞれｆ１、ｆ２の周波数帯域のみを通過させる帯域フィルタ特性を有している。ＳＡＷフィルタ素子７２，７４はそれぞれ入出力端子８６，８７，８８，８９，９０，９１，９２，９３を有している。
【０００６】
フィルタ端子７８は、入出力端子８７，９１に電気的に接続され、ＳＡＷフィルタ素子７２，７４に接地電位を供給する。一方、フィルタ端子７６は、入出力端子８６，９０に電気的に接続され、ｆ１又はｆ２の周波数の信号が入出力される。
【０００７】
また、フィルタ端子８２は、入出力端子８９，９２に電気的に接続され、ＳＡＷフィルタ素子７２，７４に接地電位を供給する。一方、フィルタ端子８０は、入出力端子８８に電気的に接続され、ｆ１の周波数の信号が入出力される。フィルタ端子８４は、入出力端子９３に電気的に接続され、ｆ２の周波数の信号が入出力される。
【０００８】
親機から子機へ信号を送信する場合、フィルタ端子８０からｆ１の周波数の信号が入力され、フィルタ端子７６から出力される。逆に、子機からの信号を受信する場合、ｆ２の周波数の信号がフィルタ端子７６に入力され、フィルタ端子８４から出力される。
【０００９】
子機のＳＡＷフィルタは、親機のＳＡＷフィルタとは逆に、ｆ２の周波数の信号を送信し、ｆ１の周波数の信号を受信する。そのため、子機のＳＡＷフィルタは、図５に示されたＳＡＷフィルタ７０において、ＳＡＷフィルタ素子７２と７４の配置のみを入れ替えた構成となっている。
【００１０】
【発明が解決しようとする課題】
前述したように、子機のＳＡＷフィルタは、親機とは全く同じＳＡＷフィルタ素子を内部に有するが、ＳＡＷフィルタ内部でＳＡＷフィルタ素子の配置が異なっている。従って、子機のＳＡＷフィルタは、親機のＳＡＷフィルタとは別途製造する必要がある。結局、親機用ＳＡＷフィルタと子機用ＳＡＷフィルタが必要となる。そのため、製造コストが高くなるという問題点があった。
【００１１】
本発明は、上記課題を解決するためになされたものであり、１種類のＳＡＷフィルタであるが、数種類の用途をもつＳＡＷフィルタを提供することを目的とする。
【００１２】
【課題を解決するための手段】
第１の本発明は、内部に第１及び第２の弾性表面波フィルタ素子を有する弾性表面波フィルタであって、前記第１の弾性表面波フィルタ素子は、第１及び第２の入出力端子と第１及び第２の出入力端子とを含み、前記第２の弾性表面波フィルタ素子は、第３及び第４の入出力端子と第３及び第４の出入力端子とを含む前記弾性表面波フィルタにおいて、入出力側には、前記第１の入出力端子に電気的に接続された第１のフィルタ端子と、前記第４の入出力端子に電気的に接続された第２のフィルタ端子と、前記第２の入出力端子及び第３の入出力端子に電気的に接続された第１の共通フィルタ端子と、を有し、出入力側には、前記第１の出入力端子に電気的に接続された第３のフィルタ端子と、前記第４の出入力端子に電気的に接続された第４のフィルタ端子と、前記第２の出入力端子及び第３の出入力端子に電気的に接続された第２の共通フィルタ端子と、を有することを特徴とする。
【００１３】
第１の発明に係る弾性表面波フィルタにおいては、第１及び第２のフィルタ端子と第１の共通フィルタ端子の３端子を信号の入力側とした場合、第３及び第４のフィルタ端子と第２の共通フィルタ端子の３端子が信号の出力側となる。そして、第１の弾性表面波フィルタ素子が通過させる周波数帯域の信号は、第３のフィルタ端子から出力される。また、第２の弾性表面波フィルタ素子が通過させる周波数帯域の信号は、第４のフィルタ端子から出力される。
【００１４】
一方、第１及び第２のフィルタ端子と第１の共通フィルタ端子の３端子を信号の出力側とすると、第３及び第４のフィルタ端子と第２の共通フィルタ端子の３端子が信号の入力側となる。このとき、第１の弾性表面波フィルタ素子が通過させる周波数帯域の信号は、第１のフィルタ端子から出力される。また、第２の弾性表面波フィルタ素子が通過させる周波数帯域の信号は、第２のフィルタ端子から出力される。
【００１５】
従って、第１及び第２のフィルタ端子と第１の共通フィルタ端子の３端子側と、第３及び第４のフィルタ端子と第２の共通フィルタ端子の３端子側との、どちらを入力側にしても、他方の出力側には第１及び第２の弾性表面波フィルタ素子がそれぞれ通過させる周波数帯域の信号を出力することができる。そのため、本発明の弾性表面波フィルタにおいては、どのフィルタ端子を入力側にするかを適宜選択することができ、１種類の弾性表面波フィルタを数種類の用途に使用することが可能である。従って、製造すべき弾性表面波フィルタの種類が少なくなり、製造コストを下げることが可能である。
【００１６】
また、本発明の弾性表面波フィルタにおいては、第１及び第２のフィルタ端子と第１の共通フィルタ端子の３端子を信号の入力側とした場合、第３のフィルタ端子からは、第１の弾性表面波フィルタ素子が通過させる周波数帯域の信号を出力できる。この弾性表面波フィルタを１８０度回転させ、第３及び第４のフィルタ端子と第２の共通フィルタ端子の３端子を信号の入力側としたとき、回転前の第３のフィルタ端子の位置に、第２のフィルタ端子が配置され、回転前の第３のフィルタ端子の位置から第２の弾性表面波フィルタ素子が通過させる周波数帯域の信号を出力できる。従って、弾性表面波フィルタが電気的に接続される基板において、同じ端子位置から異なる周波数帯域を出力する基板を共通化することができる。例えば、コードレス電話機の親機と子機のように、送受信する周波数のみが入れ替わった電子機器では、親機と子機で基板を共通化することができる。
【００１７】
第２の本発明は、前記弾性表面波フィルタであって、その内部にさらに第１及び第２の整合回路を有し、前記第１の共通フィルタ端子は、前記第１の整合回路を介して前記第２の入出力端子及び第３の入出力端子に電気的に接続され、前記第２の共通フィルタ端子は、前記第２の整合回路を介して前記第２の出入力端子及び第３の出入力端子に電気的に接続されていることを特徴とする。
【００１８】
第２の本発明の弾性表面波フィルタは、その内部に整合回路を有しているため、弾性表面波フィルタに別途整合回路を電気的に接続する必要がない。従って、弾性表面波フィルタの外に接続する部品の個数を少なくすることが可能である。
【００１９】
【発明の実施の形態】
以下、本発明の実施の形態（以下実施形態という）を、図面に従って説明する。
【００２０】
図１に本実施形態のＳＡＷフィルタが示されている。ＳＡＷフィルタ１００はその内部にＳＡＷフィルタ素子１０，２０を有している。
【００２１】
ＳＡＷフィルタ素子１０は、内部に櫛形電極３０と反射器３２を有し、周波数ｆ１の信号のみを通過させる帯域フィルタ特性を有している。ＳＡＷフィルタ素子１０の入出力端子１２，１４と出入力端子１６，１８とは、それぞれ櫛形電極３０に電気的に接続され、櫛形電極３０への信号の入出力や接地電位の供給を行う。
【００２２】
一方、ＳＡＷフィルタ素子２０は、内部に櫛形電極３４と反射器３６を有し、周波数ｆ２の信号のみを通過させる帯域フィルタ特性を有している。ＳＡＷフィルタ素子２０の入出力端子２２，２４と出入力端子２６，２８とは、それぞれ櫛形電極３４に電気的に接続され、櫛形電極３４への信号の入出力や接地電位の供給を行う。
【００２３】
尚、ＳＡＷフィルタ素子は、櫛形電極と反射器から構成されるＳＡＷフィルタ素子に限定したものではなく、様々な電極構成のＳＡＷフィルタ素子を使用してもよい。
【００２４】
本実施形態のＳＡＷフィルタ１００は、第１フィルタ端子４０、第２フィルタ端子４２、第３フィルタ端子４４、第４フィルタ端子４６、第１共通フィルタ端子４８、第２共通フィルタ端子５０を有している。
【００２５】
第１フィルタ端子４０は、入出力端子１２に電気的に接続され、第２フィルタ端子４２は入出力端子２４に電気的に接続されている。また、第３フィルタ端子４４は、出入力端子１６に電気的に接続され、第４フィルタ端子４６は出入力端子２８に電気的に接続されている。
【００２６】
また、第１共通フィルタ端子４８は、ＳＡＷフィルタ素子１０の入出力端子１４と、ＳＡＷフィルタ素子２０の入出力端子２２に電気的に接続されている。また、第２共通フィルタ端子５０は、ＳＡＷフィルタ素子１０の出入力端子１８と、ＳＡＷフィルタ素子２０の出入力端子２６に接続されている。
【００２７】
つまり、第１フィルタ端子４０及び第３フィルタ端子４４は、それぞれ第１ＳＡＷフィルタ素子１０の端子に電気的に接続されている。また、第２フィルタ端子４２及び第４フィルタ端子４６は、それぞれ第２ＳＡＷフィルタ素子２０の端子に電気的に接続されている。一方、第１共通フィルタ端子４８と第２共通フィルタ端子５０は、ＳＡＷフィルタ素子１０及び２０の双方の端子に電気的に接続されている。
【００２８】
このＳＡＷフィルタ１００において、第１フィルタ端子４０，第２フィルタ端子４２及び第１共通フィルタ端子４８の３端子側を信号の入力側とすると、第３フィルタ端子４４，第４フィルタ端子４６及び第２共通フィルタ端子５０は信号の出力側となる。このとき、周波数ｆ１の信号は、第３フィルタ端子４４から出力され、周波数ｆ２の信号は、第４フィルタ端子４６から出力される。
【００２９】
逆に、第３フィルタ端子４４，第４フィルタ端子４６及び第２共通フィルタ端子５０を信号の入力側とすると、第１フィルタ端子４０，第２フィルタ端子４２及び第１共通フィルタ端子４８の３端子側は信号の出力側となる。このとき、周波数ｆ１の信号は第１フィルタ端子４０から出力され、周波数ｆ２の信号は第２フィルタ端子４２から出力される。
【００３０】
このように、本実施形態のＳＡＷフィルタ１００においては、どちらの端子側を信号の入力側としても、出力側にはｆ１及びｆ２の周波数帯域の双方の信号を出力することが可能である。従って、どちらの端子側を入力側とし、どちらの端子側を出力側とするかは、適宜、選択することができる。
【００３１】
前述したように、ＳＡＷフィルタ１００においては、どの端子を入力側に使用するか適宜選択することができるので、ＳＡＷフィルタ１００を数種類の用途に使用することができる。次に、本実施形態のＳＡＷフィルタをコードレス電話機におけるアンテナ共用器のフィルタとして使用した場合における、２種類のＳＡＷフィルタの用途を例示する。コードレス電話機の親機からは周波数ｆ１の信号が送信され、子機からは周波数ｆ２の信号が送信され、親機と子機はそれぞれが、相手の信号を受信するとする。
【００３２】
図２（ａ）には、本実施形態のＳＡＷフィルタ１００をコードレス電話機の親機用アンテナ共用器のＳＡＷフィルタとして使用した場合のブロック図が示されている。このとき、第１フィルタ端子４０、第２フィルタ端子４２及び第２共通フィルタ端子５０は接地されており、第１共通フィルタ端子４８、第３フィルタ端子４４及び第４フィルタ端子４６に信号が入出力される。
【００３３】
親機から子機へ信号が送信される場合、周波数ｆ１の信号が第３フィルタ端子４４に入力され、第１共通フィルタ端子４８から出力される。第１共通フィルタ端子４８は整合回路（図示せず）を介してアンテナ（図示せず）と電気的に接続されており、アンテナから周波数ｆ１の信号が送信される。
【００３４】
親機で子機からの周波数ｆ２の信号が受信されると、アンテナから整合回路を介して、第１共通フィルタ端子４８に信号が入力され、第４フィルタ端子４６から出力される。
【００３５】
一方、図２（ａ）に示されたＳＡＷフィルタ１００を１８０度回転させるだけで、ＳＡＷフィルタ１００を子機用アンテナ共用器のＳＡＷフィルタとして使用することが可能である。図２（ｂ）には、図２（ａ）に示されたＳＡＷフィルタ１００を１８０度回転させ、ＳＡＷフィルタ１００を子機用アンテナ共用器のＳＡＷフィルタとして使用した場合のブロック図が示されている。このとき、第２共通フィルタ端子５０、第１フィルタ端子４０及び第２フィルタ端子４２に信号が入出力され、第３フィルタ端子４４、第４フィルタ端子４６及び第１共通フィルタ端子４８は接地されている。
【００３６】
子機から親機に信号が送信される場合、周波数ｆ２の信号が第２フィルタ端子４２に入力され、第２共通フィルタ端子５０から出力される。第２共通フィルタ端子５０は整合回路（図示せず）を介してアンテナ（図示せず）と電気的に接続されており、アンテナから周波数ｆ２の信号が親機へ送信される。
【００３７】
一方、子機で親機からの周波数ｆ１の信号が受信されると、アンテナから整合回路を介して、第２共通フィルタ端子５０に信号が入力され、第１フィルタ端子４０からｆ１の信号が出力される。
【００３８】
このように、本実施形態のＳＡＷフィルタは、親機用及び子機用アンテナ共用器のＳＡＷフィルタとして使用することが可能である。従って、親機用、子機用の２種類のＳＡＷフィルタを製造する必要は無く、１種類でよいため、製造コストを下げることが可能である。また、本実施形態のＳＡＷフィルタは１８０度回転させるだけで、親機用及び子機用アンテナ共用器のＳＡＷフィルタとして使用することが可能であるので、ＳＡＷフィルタを接続する基板を親機と子機とで共通化することができる。
【００３９】
図３には、他の実施形態のＳＡＷフィルタ２００が示されている。図１に示されたＳＡＷフィルタ１００と同じ部品には、同じ符号が施されている。このＳＡＷフィルタ２００は、図１に示されたＳＡＷフィルタ１００に外部装置とインピーダンス整合を取るための整合回路５２，５４を加えた構成となっている。整合回路５２，５４はスパイラルインダクタとコンデンサから構成される一般的に使用される整合回路である。ＳＡＷフィルタ２００においては、第１共通フィルタ端子４８は、整合回路５２を介して、第１ＳＡＷフィルタ素子１０の入出力端子１４と第２ＳＡＷフィルタ素子２０の入出力端子２２に接続されている。また、第２共通フィルタ端子５０は、整合回路５４を介して、第１ＳＡＷフィルタ素子１０の出入力端子１８と第２ＳＡＷフィルタ素子２０の出入力端子２６に接続されている。
【００４０】
ＳＡＷフィルタ２００は、図２に示されているのと同様な方法で、２種類の用途に使用することが可能である。また、本実施形態のＳＡＷフィルタ２００は、その内部に整合回路を有しているため、ＳＡＷフィルタ２００以外に整合回路を接続する必要がない。そのため、ＳＡＷフィルタ２００に接続する部品点数を減らすことが可能である。
【００４１】
【発明の効果】
以上説明したように、本発明のＳＡＷフィルタは、入出力側に３つのフィルタ端子と出入力側に３つのフィルタ端子を有している。入出力側、出入力側の一方を入力側とすると他方は出力側となり、どちら側を入力側としても、第１及び第２のＳＡＷフィルタ素子を通過する双方の周波数帯域の信号を出力することが可能である。従って、本発明のＳＡＷフィルタは、どちらを入力側にするかを適宜選択することができ、数種類の用途に使用することが可能である。そのため、本来、数種類のＳＡＷフィルタの製造が必要なものが１種類で済むため、製造コストを低くすることができる。
【図面の簡単な説明】
【図１】  本実施形態のＳＡＷフィルタのブロック図である。
【図２】  本実施形態のＳＡＷフィルタをコードレス電話機の親機用及び子機用アンテナ共用器のフィルタとして使用した場合の使用方法が示されたブロック図である。
【図３】  内部に整合回路を有する本実施形態のＳＡＷフィルタのブロック図である。
【図４】  コードレス電話機の親機と子機との信号の送受信の様子が示された概略図である。
【図５】  従来の内部ＳＡＷフィルタ素子を２個有するＳＡＷフィルタのブロック図である。
【符号の説明】
１０，２０  ＳＡＷフィルタ素子、１２，１４，２２，２４  入出力端子、１６，１８，２６，２８  出入力端子、４０  第１フィルタ端子、４２  第２フィルタ端子、４４  第３フィルタ端子、４６  第４フィルタ端子、４８  第１共通フィルタ端子、５０  第２共通フィルタ端子、５２，５４  整合回路、１００，２００  ＳＡＷフィルタ。
【図１】
0004194169.tif 000002
【図２】
0004194169.tif 000003
【図３】
0004194169.tif 000004
【図４】
0004194169.tif 000005
【図５】
0004194169.tif 000006